(57)【要約】【課題】一般消費者に特定スペースでの特定消費商品の消費に対応して所定サービスを提供することができるデータ処理システムを提供する。【解決手段】データ処理システム１００は、喫煙スペースＳＳで一般消費者に消費される紙巻タバコＰＴの燃焼温度を検出し、その燃焼温度の検出時間を測定して集計し、集計された検出時間から予想される特定温度の検出終了の直前タイミングとデジタルコンテンツＤＣの出力終了とを連動させる。このため、喫煙スペースＳＳで紙巻タバコＰＴを喫煙する一般消費者に、その喫煙行為に対応してデジタルコンテンツＤＣを効果的に提供することができる。【選択図】図１
2009134056.tif 000002
【特許請求の範囲】
【請求項１】
特定スペースで一般消費者に所定サービスを提供するためのデータ処理システムであって、
デジタルコンテンツを記憶するコンテンツ記憶部と、
前記特定スペースに前記デジタルコンテンツを出力するコンテンツ出力部と、
前記特定スペースで前記一般消費者に消費される特定消費商品の特定温度を検出する温度検出部と、
前記特定温度の検出時間を測定して集計し、集計された前記検出時間から予想される前記特定温度の検出終了の直前タイミングと前記デジタルコンテンツの出力終了とを連動させる出力制御部と、
を有するデータ処理システム。
【請求項２】
前記コンテンツ記憶部は、複数の前記デジタルコンテンツを記憶しており、
前記出力制御部は、前記特定温度の検出終了の直前タイミングで出力する前記デジタルコンテンツを切り換える請求項１に記載のデータ処理システム。
【請求項３】
前記出力制御部は、前記直前タイミングで切り換えた前記デジタルコンテンツの出力終了を前記特定温度の検出終了に連動させる請求項２に記載のデータ処理システム。
【請求項４】
前記出力制御部は、前記特定温度の検出開始と前記デジタルコンテンツの出力開始とを連動させる請求項１ないし３の何れか一項に記載のデータ処理システム。
【請求項５】
前記温度検出部は、前記特定消費商品の複数の前記特定温度を検出し、
前記出力制御部は、複数の前記特定温度ごとに前記コンテンツ出力部に前記デジタルコンテンツを出力させる請求項１ないし４の何れか一項に記載のデータ処理システム。
【請求項６】
前記温度検出部は、前記特定温度に検出感度が対応しているＩＲ（infrared）センサを有する請求項１ないし５の何れか一項に記載のデータ処理システム。
【請求項７】
前記特定消費商品は、タバコからなり、
前記特定スペースは、喫煙スペースからなり、
前記温度検出部は、前記タバコの少なくとも燃焼時の前記特定温度を検出する請求項１ないし６の何れか一項に記載のデータ処理システム。
【請求項８】
前記温度検出部が検出する前記特定温度により前記特定スペースでの火災発生を判定する火災判定部を、さらに有する請求項７に記載のデータ処理システム。
【請求項９】
特定スペースで一般消費者に所定サービスを提供するためのデータ処理システムのためのコンピュータプログラムであって、
コンテンツ出力デバイスで出力されるデジタルコンテンツを記憶するコンテンツ記憶処理と、
前記特定スペースで前記一般消費者に消費される特定消費商品の特定温度を検出する温度検出処理と、
前記特定温度の検出時間を測定して集計し、集計された前記検出時間から予想される前記特定温度の検出終了の直前タイミングと前記デジタルコンテンツの出力終了とを連動させる出力制御処理と、
を前記データ処理システムに実行させるコンピュータプログラム。
【請求項１０】
特定スペースで一般消費者に所定サービスを提供するためのデータ処理システムのデータ処理方法であって、
コンテンツ出力デバイスで出力されるデジタルコンテンツを記憶するコンテンツ記憶工程と、
前記特定スペースで前記一般消費者に消費される特定消費商品の特定温度を検出する温度検出工程と、
前記特定温度の検出時間を測定して集計し、集計された前記検出時間から予想される前記特定温度の検出終了の直前タイミングと前記デジタルコンテンツの出力終了とを連動させる出力制御工程と、
を有するデータ処理方法。
【発明の詳細な説明】
【技術分野】
【０００１】
本発明は、特定スペースで一般消費者に所定サービスを提供するためのデータ処理システムに関し、特に、特定温度を発生する特定消費商品が消費される特定スペースで利用されるデータ処理システムに関する。
【背景技術】
【０００２】
現在、各所に喫煙スペースが用意されている。しかし、現在の喫煙スペースは、タバコ喫煙のみを目的とした隔離エリアでしかない。このため、一般的に、喫煙者は手持ちぶさたである。
【０００３】
そこで、本出願人が過去に出願したデータ処理システムでは、喫煙スペースにコンテンツ出力部を設置しておき、一般消費者に広告データを提供する(例えば、特許文献１参照)。
【特許文献１】特開２００４−１２６３７３号公報
【特許文献２】特開２００３−３３０３９６号公報
【発明の開示】
【発明が解決しようとする課題】
【０００４】
特許文献１の技術では、日常的ではない特別な広告データを喫煙スペースで一般消費者に提供することができる。しかし、広告は提供する企業には重要であるが、視聴する一般ユーザに積極的に興味を持たせることは困難である。
【０００５】
特に、喫煙者は喫煙スペースを毎日のように繰り返し利用する可能性がある。このような場合、喫煙スペースを利用する一般消費者は同一のコンテンツを繰り返し視聴することになる。従って、第一回目は興味を持ったとしても、第二回目からは興味を失うことになる。
【０００６】
上述のように特定スペースで提供するコンテンツへの興味を強化するため、例えば、一般消費者の入場に連動してコンテンツを提供するシステムなどがある。しかし、これは一般消費者の入場を検知するとコンテンツの出力を開始しているだけであり、やはり第一回目は興味を持ったとしても、第二回目からは興味を失うことになる。
【０００７】
本発明は上述のような課題に鑑みてなされたものであり、特定消費商品が消費される特定スペースで一般消費者に効果的に所定サービスを提供することができるデータ処理システムを提供するものである。
【課題を解決するための手段】
【０００８】
本発明のデータ処理システムは、特定スペースで一般消費者に所定サービスを提供するためのデータ処理システムであって、デジタルコンテンツを記憶するコンテンツ記憶部と、特定スペースにデジタルコンテンツを出力するコンテンツ出力部と、特定スペースで一般消費者に消費される特定消費商品の特定温度を検出する温度検出部と、特定温度の検出時間を測定して集計し、集計された検出時間から予想される特定温度の検出終了の直前タイミングとデジタルコンテンツの出力終了とを連動させる出力制御部と、を有する。
【０００９】
従って、本発明のデータ処理システムでは、特定スペースで一般消費者に消費される特定消費商品の特定温度を温度検出部で検出し、その特定温度の検出時間を出力制御部で測定して集計し、集計された検出時間から予想される特定温度の検出終了の直前タイミングとデジタルコンテンツの出力終了とを連動させる。このため、例えば、いわゆる紙巻タバコが特定消費商品として一般消費者により特定スペースである喫煙スペースで喫煙されるようなときに、その喫煙終了の直前タイミングにデジタルコンテンツの出力終了を連動させるようなことができる。
【００１０】
また、本発明のデータ処理システムにおいて、コンテンツ記憶部は、複数のデジタルコンテンツを記憶しており、出力制御部は、特定温度の検出終了の直前タイミングで出力するデジタルコンテンツを切り換えてもよい。
【００１１】
また、本発明のデータ処理システムにおいて、出力制御部は、直前タイミングで切り換えたデジタルコンテンツの出力終了を特定温度の検出終了に連動させてもよい。
【００１２】
また、本発明のデータ処理システムにおいて、出力制御部は、特定温度の検出開始とデジタルコンテンツの出力開始とを連動させてもよい。
【００１３】
また、本発明のデータ処理システムにおいて、温度検出部は、特定消費商品の複数の特定温度を検出し、出力制御部は、複数の特定温度ごとにコンテンツ出力部にデジタルコンテンツを出力させてもよい。
【００１４】
また、本発明のデータ処理システムにおいて、温度検出部は、特定温度に検出感度が対応しているＩＲセンサを有してもよい。
【００１５】
また、本発明のデータ処理システムにおいて、特定消費商品は、タバコからなり、特定スペースは、喫煙スペースからなり、温度検出部は、タバコの少なくとも燃焼時の特定温度を検出してもよい。
【００１６】
また、本発明のデータ処理システムにおいて、温度検出部が検出する特定温度により特定スペースでの火災発生を判定する火災判定部を、さらに有してもよい。
【００１７】
本発明のコンピュータプログラムは、特定スペースで一般消費者に所定サービスを提供するためのデータ処理システムのためのコンピュータプログラムであって、コンテンツ出力デバイスで出力されるデジタルコンテンツを記憶するコンテンツ記憶処理と、特定スペースで一般消費者に消費される特定消費商品の特定温度を検出する温度検出処理と、特定温度の検出時間を測定して集計し、集計された検出時間から予想される特定温度の検出終了の直前タイミングとデジタルコンテンツの出力終了とを連動させる出力制御処理と、をデータ処理システムに実行させる。
【００１８】
本発明のデータ処理方法は、特定スペースで一般消費者に所定サービスを提供するためのデータ処理システムのデータ処理方法であって、コンテンツ出力デバイスで出力されるデジタルコンテンツを記憶するコンテンツ記憶工程と、特定スペースで一般消費者に消費される特定消費商品の特定温度を検出する温度検出工程と、特定温度の検出時間を測定して集計し、集計された検出時間から予想される特定温度の検出終了の直前タイミングとデジタルコンテンツの出力終了とを連動させる出力制御工程と、を有する。
【００１９】
なお、本発明の各種の構成要素は、その機能を実現するように形成されていればよく、例えば、所定の機能を発揮する専用のハードウェア、所定の機能がコンピュータプログラムにより付与されたデータ処理システム、コンピュータプログラムによりデータ処理システムに実現された所定の機能、これらの任意の組み合わせ、等として実現することができる。
【００２０】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２１】
また、本発明のデータ処理方法には複数の工程を順番に記載してあるが、その記載の順番は複数の工程を実行する順番を限定するものではない。このため、本発明のデータ処理方法を実施するときには、その複数の工程の順番は内容的に支障しない範囲で変更することができる。
【００２２】
さらに、本発明のデータ処理方法の複数の工程は個々に相違するタイミングで実行されることに限定されない。このため、ある工程の実行中に他の工程が発生すること、ある工程の実行タイミングと他の工程の実行タイミングとの一部ないし全部が重複していること、等でもよい。
【００２３】
また、本発明で云う連動とは、ある事象やタイミングの検出をトリガとして、ある動作が実行されることを意味している。このため、その検出タイミングと動作タイミングとが完全に一致している必要はなく、タイムラグが介在してもよい。
【発明の効果】
【００２４】
本発明のデータ処理システムでは、特定スペースで一般消費者に消費される特定消費商品の特定温度を温度検出部で検出し、その特定温度の検出時間を出力制御部で測定して集計し、集計された検出時間から予想される特定温度の検出終了の直前タイミングとデジタルコンテンツの出力終了とを連動させる。このため、例えば、いわゆる紙巻タバコが特定消費商品として一般消費者により特定スペースである喫煙スペースで喫煙されるようなときに、その喫煙終了の直前タイミングにデジタルコンテンツの出力終了を連動させるようなことができる。従って、特定消費商品が消費される特定スペースで一般消費者に効果的に所定サービスを提供することができる。
【発明を実施するための最良の形態】
【００２５】
本発明の実施の一形態を図面を参照して以下に説明する。本実施の形態のデータ処理システム１００は、特定スペースである喫煙スペースＳＳで一般消費者に所定サービスを提供するために利用される。
【００２６】
このため、本実施の形態のデータ処理システム１００は、図１に示すように、デジタルコンテンツＤＣを記憶するコンテンツ記憶部１１０と、喫煙スペースＳＳにデジタルコンテンツＤＣを出力するコンテンツ出力部１２０と、喫煙スペースＳＳで一般消費者に消費される特定消費商品である紙巻タバコＰＴの特定温度を検出するサーモグラフィ１３０と、特定温度の検出時間を測定して集計し、集計された検出時間から予想される特定温度の検出終了の直前タイミングとデジタルコンテンツＤＣの出力終了とを連動させる出力制御部１４０と、を有する。
【００２７】
より詳細には、この出力制御部１４０は、時間集計部１４１、直前生成部１４２、直前連動部１４３、を有する。時間集計部１４１は、特定温度の検出時間を測定して集計する。
【００２８】
直前生成部１４２は、集計された検出時間から予想される特定温度の検出終了の直前タイミングを生成する。直前連動部１４３は、直前タイミングとデジタルコンテンツＤＣの出力終了とを連動させる。
【００２９】
また、コンテンツ記憶部１１０は、複数のデジタルコンテンツＤＣを記憶している。そして、出力制御部１４０は、集計された検出時間から予想される特定温度の検出終了の直前タイミングで出力するデジタルコンテンツＤＣを切り換えることにより、集計された検出時間から予想される特定温度の検出終了の直前タイミングと特定のデジタルコンテンツＤＣの出力終了とを連動させる。
【００３０】
また、出力制御部１４０は、特定温度の検出開始とデジタルコンテンツＤＣの出力開始とを連動させる。さらに、特定温度の検出終了に対応して出力するデジタルコンテンツＤＣを切り換えることで、特定温度の検出終了とデジタルコンテンツＤＣの出力終了も連動させる。
【００３１】
紙巻タバコＰＴは、当然ながら燃焼することで消費される。そこで、サーモグラフィ１３０は、ＩＲセンサ１３１、ドライバ回路１３２、画像処理部１３３、光学フィルタ１３４、等を有する。
【００３２】
ＩＲセンサ１３１は、例えば、検出感度が２〜５μｍの短波長用のＰｔＳｉタイプやＩｎＳｂタイプ、０．９〜１．７μｍの近赤外線用のＩｎＧａＡｓタイプ、８〜１４μｍの長波長用のＭＣＴタイプ、８〜９．２μｍの長波長用のＱＷＩＰタイプ、８〜１４μｍの長波長用のマイクロボロメータタイプやフェロエレクトリックタイプ、等からなる。
【００３３】
ただし、このＩＲセンサ１３１は、所定特性の光学フィルタ１３４が装着されることにより、着火された紙巻タバコＰＴの燃焼温度に検出感度が対応している。ドライバ回路１３２は、ＩＲセンサ１３１の出力信号から紙巻タバコＰＴの燃焼温度に対応した温度分布画像を生成する。画像処理部１３３は、ドライバ回路１３２が出力する温度分布画像から特定温度を検出する。
【００３４】
本実施の形態のデータ処理システム１００が適用される喫煙スペースＳＳは、例えば、建物に用意された一室などからなる。図２に示すように、その喫煙スペースＳＳには複数の座席ＰＳが用意されており、その座席ＰＳごとにコンテンツ出力デバイスとしてディスプレイデバイス１２１が設置されている。
【００３５】
ディスプレイデバイス１２１は、例えば、いわゆるベールビューＬＣＤ（Liquid Crystal Display）などの、視野角が所定範囲に限定されている狭視野角ディスプレイからなる。
【００３６】
そして、相互に対応している座席ＰＳとディスプレイデバイス１２１とは、ディスプレイデバイス１２１の視野角に座席ＰＳが配置されているとともに、座席ＰＳに着席した一般消費者の視認範囲にディスプレイデバイス１２１が配置されている。
【００３７】
さらに、相互に対応していない座席ＰＳとディスプレイデバイス１２１とは、ディスプレイデバイス１２１の視野角の外側に座席ＰＳが配置されているとともに、座席ＰＳに着席した一般消費者の視認範囲の外側にディスプレイデバイス１２１が配置されている。
【００３８】
ＩＲセンサ１３１は、例えば、全部の座席ＰＳを撮像できる喫煙スペースＳＳの天井などに設置されている。喫煙スペースＳＳのバックヤードにはデータベースサーバ１０１が設置されており、このデータベースサーバ１０１にＩＲセンサ１３１と複数のディスプレイデバイス１２１が接続されている。
【００３９】
データベースサーバ１０１には適正なコンピュータプログラムが実装されている。このコンピュータプログラムに対応してデータベースサーバ１０１が各種の処理動作を実行することにより、上述の各部１１０〜１４０が論理的に実現されている。
【００４０】
コンテンツ記憶部１１０は、データベースサーバ１０１がコンピュータプログラムに対応して認識する記憶エリアなどに相当する。コンテンツ出力部１２０は、データベースサーバ１０１がコンピュータプログラムに対応してディスプレイデバイス１２１を動作制御する機能などに相当する。
【００４１】
サーモグラフィ１３０の画像処理部１３３は、データベースサーバ１０１がコンピュータプログラムに対応して画像処理を実行する機能などに相当する。出力制御部１４０は、データベースサーバ１０１がサーモグラフィ１３０の出力データとコンピュータプログラムとに対応して、ディスプレイデバイス１２１に出力させるデジタルコンテンツＤＣを選択する機能などに相当する。
【００４２】
上述のようなデータ処理システム１００のコンピュータプログラムは、例えば、ディスプレイデバイス１２１で出力されるデジタルコンテンツＤＣを記憶するコンテンツ記憶処理と、喫煙スペースＳＳで一般消費者に消費される特定消費商品の特定温度を検出する温度検出処理と、特定温度の検出時間を測定して集計し、集計された検出時間から予想される特定温度の検出終了の直前タイミングとデジタルコンテンツＤＣの出力終了とを連動させる出力制御処理と、をデータベースサーバ１０１に実行させるように記述されている。
【００４３】
上述のような構成において、本実施の形態のデータ処理システム１００は、一般消費者による喫煙スペースＳＳの利用を促進するため、喫煙スペースＳＳを利用する一般消費者にデジタルコンテンツＤＣを提供する。
【００４４】
より詳細には、本実施の形態のデータ処理システム１００は、デジタルコンテンツＤＣとして、例えば、常時出力コンテンツ、特定コンテンツ、終了直前コンテンツ、が登録されている。
【００４５】
常時出力コンテンツは、例えば、喫煙スペースＳＳの利用方法の案内ガイダンスなどからなり、一般消費者の有無などに関係なく常時出力される。特定コンテンツは、一般消費者の喫煙中のみ提供される動画などからなる。終了直前コンテンツは、顧客訴求を目的とした各種情報からなり、予想される喫煙終了の直前タイミングに出力される。
【００４６】
上述のような各種のデジタルコンテンツＤＣが登録されているデータ処理システム１００は、ＩＲセンサ１３１により喫煙スペースＳＳの全部の座席ＰＳを常時撮像している。
【００４７】
このような状態で、図３に示すように、ディスプレイデバイス１２１には、例えば、喫煙スペースＳＳの利用方法の案内ガイダンスが、デジタルコンテンツＤＣである常時出力コンテンツとして常時出力されている(ステップＳ１)。
【００４８】
そこで、例えば、一般消費者が喫煙スペースＳＳに入場して座席ＰＳに着席し、紙巻タバコＰＴを取り出して着火すると、これがＩＲセンサ１３１により検出される(ステップＳ２−Ｙ)。
【００４９】
すると、本実施の形態のデータ処理システム１００は、着火された紙巻タバコＰＴの燃焼温度を特定温度として検出することにより、図５に示すように、出力されているデジタルコンテンツＤＣを前述の案内ガイダンスの常時出力コンテンツから動画などの特定コンテンツに切り換える(ステップＳ３)。
【００５０】
このような状態で、データ処理システム１００は、その紙巻タバコＰＴの着火から消火までを燃焼温度の検出時間として測定し(ステップＳ４，Ｓ８)、これを喫煙時間として集計する(ステップＳ９)。
【００５１】
同時に、集計されている喫煙時間から、喫煙終了の直前タイミングが予想される。そこで、その喫煙終了の直前タイミングになると(ステップＳ５−Ｙ)、出力されているデジタルコンテンツＤＣを特定コンテンツから終了直前コンテンツに切り換える(ステップＳ６)。
【００５２】
さらに、このように終了直前コンテンツが出力された状態で、実際の紙巻タバコＰＴの消火が検出されると(ステップＳ７−Ｙ)、これで燃焼温度の検出時間が特定される(ステップＳ８)。
【００５３】
すると、終了直前コンテンツの出力が終了され(ステップＳ８)、常時出力コンテンツの出力が再開される(ステップＳ１)。上述のように実際の紙巻タバコＰＴの喫煙の検出時間が特定されると(ステップＳ８)、その検出時間により集計結果が更新される(ステップＳ９)。
【００５４】
なお、実際には喫煙終了の直前タイミングに先行して実際の消火が検出される場合もあるが(ステップＳ５−Ｎ，Ｓ７−Ｙ)、このような場合には、例えば、出力されるデジタルコンテンツＤＣが特定コンテンツから常時出力コンテンツに直接に切り換えられる(ステップＳ３〜Ｓ９，Ｓ１)。
【００５５】
ただし、直前タイミングに先行して消火が検出されたときに、デジタルコンテンツＤＣを特定コンテンツから終了直前コンテンツに切り換えてから常時出力コンテンツに切り換えてもよい(図示せず)。
【００５６】
本実施の形態のデータ処理システム１００は、上述のように喫煙スペースＳＳで一般消費者に消費される紙巻タバコＰＴの燃焼温度を検出し、その燃焼温度の検出に対応してデジタルコンテンツＤＣを出力する。このため、喫煙スペースＳＳで紙巻タバコＰＴを喫煙する一般消費者に、その喫煙行為に対応してデジタルコンテンツＤＣを提供することができる。
【００５７】
特に、紙巻タバコＰＴの燃焼温度の検出時間を測定して集計し、集計された検出時間から予想される喫煙終了の直前タイミングで出力するデジタルコンテンツＤＣを切り換える。
【００５８】
このため、一般消費者が予想しない喫煙終了の直前タイミングにデジタルコンテンツＤＣを切り換えることができる。従って、終了直前コンテンツとして提供するデジタルコンテンツＤＣの訴求効果を極めて向上させることができる。
【００５９】
なお、喫煙時間の長短は喫煙スペースＳＳに対応することが予想される。例えば、オフィス街にある喫煙スペースＳＳならば喫煙時間は短時間であることが予想され、歓楽街にある喫煙スペースＳＳならば喫煙時間は長時間であることが予想される。
【００６０】
しかし、本実施の形態のデータ処理システム１００では、その喫煙スペースＳＳで実際に喫煙時間を測定して集計するので、その喫煙スペースＳＳごとに最適な直前タイミングを生成することができる。
【００６１】
また、このように実際に測定して集計した喫煙時間に対応して直前タイミングを生成するので、その直前タイミングから喫煙終了までに最適な時間の終了直前コンテンツを用意しておくこともできる。
【００６２】
さらに、本実施の形態のデータ処理システム１００は、上述のような終了直前コンテンツなどの出力終了を紙巻タバコＰＴの燃焼温度の検出終了とも連動させる。従って、終了直前コンテンツなどとして提供するデジタルコンテンツＤＣの訴求効果を向上させることができる。
【００６３】
また、本実施の形態のデータ処理システム１００では、紙巻タバコＰＴの燃焼温度の検出開始とデジタルコンテンツＤＣの出力開始とを連動させる。このため、喫煙を開始した一般消費者に動画などの特定コンテンツをデジタルコンテンツＤＣとして即座に提供することができる。
【００６４】
しかも、本実施の形態のデータ処理システム１００では、紙巻タバコＰＴの燃焼温度の検出開始とデジタルコンテンツＤＣの出力開始とを連動させる。このため、喫煙を開始した一般消費者にデジタルコンテンツＤＣを提供することができる。従って、特定コンテンツなどとして提供するデジタルコンテンツＤＣの訴求効果を向上させることができる。
【００６５】
さらに、本実施の形態のデータ処理システム１００では、ＩＲセンサ１３１は、紙巻タバコＰＴの燃焼温度に検出感度が対応している。このため、背景輻射などを誤検出することなく、一般消費者の喫煙行為に対応してデジタルコンテンツＤＣを的確に提供することができる。しかも、上述のような検出感度のＩＲセンサ１３１としては、前述のように各種タイプのデバイスを利用することができ、その方式を限定する必要がない。
【００６６】
なお、本発明は本実施の形態に限定されるものではなく、その要旨を逸脱しない範囲で各種の変形を許容する。例えば、上記形態では消費により特定温度を発生する特定消費商品が紙巻タバコＰＴからなることを例示した。しかし、このような特定消費商品が加温や加冷されている缶詰飲料などでもよい（図示せず）。
【００６７】
また、上記形態ではタバコパックＴＰとの差異を明確とするため、実際に喫煙されるタバコを紙巻タバコＰＴと称呼した。しかし、この喫煙される特定消費商品が、いわゆる葉巻でもよい(図示せず)。
【００６８】
さらに、上記形態では一般消費者にデジタルコンテンツＤＣを的確に提供するために喫煙スペースＳＳにＩＲセンサ１３１を設置しておくことを例示した。しかし、このようなデータ処理システムが、ＩＲセンサ１３１が検出する特定温度により喫煙スペースＳＳでの火災発生を判定してもよい(図示せず)。
【００６９】
当然ながら、喫煙スペースＳＳには火災報知システムが必要である。つまり、上述のようなデータ処理システムは、火災報知システムのＩＲセンサ１３１を利用して一般消費者にデジタルコンテンツＤＣを的確に提供できることになる。
【００７０】
また、上記形態では紙巻タバコＰＴの燃焼温度のみ検出し、この検出に対応してデジタルコンテンツＤＣを出力することを例示した。しかし、紙巻タバコＰＴの複数の特定温度を検出し、その複数の特定温度ごとにデジタルコンテンツＤＣを出力してもよい(図示せず)。
【００７１】
例えば、紙巻タバコＰＴは、一般消費者による吸引の有無や、吸引の強度に対応して燃焼温度が変化する。そこで、この燃焼温度を複数段階に検出し、その複数の検出に対応してデジタルコンテンツＤＣを出力してもよい。
【００７２】
また、上記形態では、図６に示すように、特定温度が検出されていないときにデジタルコンテンツＤＣとして常時出力コンテンツが常時出力されており、この常時出力コンテンツの出力終了とデジタルコンテンツＤＣである特定コンテンツの出力開始とが特定温度の検出開始と連動され、この特定コンテンツの出力終了とデジタルコンテンツＤＣである終了直前コンテンツの出力開始とが直前タイミングと連動され、この終了直前コンテンツの出力終了が特定温度の検出終了と連動されることを例示した。
【００７３】
しかし、図７(ａ)に示すように、特定温度が検出されていないときにはデジタルコンテンツＤＣが出力されず、特定温度の検出開始と特定コンテンツとの出力開始とが連動され、この特定コンテンツの出力終了と終了直前コンテンツの出力開始とが直前タイミングと連動され、この終了直前コンテンツが最後まで出力されてから終了されてもよい。
【００７４】
なお、特定温度が検出されていないときにはデジタルコンテンツＤＣが出力されず、特定温度の検出開始と特定コンテンツとの出力開始とが連動され、直前タイミングから所定時間が経過した時点で特定コンテンツの出力が終了されて終了直前コンテンツが出力されなくともよい(図示せず)。この場合、特定コンテンツの出力を直前タイミングから所定時間でフェードアウェイさせてもよい。
【００７５】
また、特定温度が検出されていないときに常時出力コンテンツが常時出力されており、この常時出力コンテンツの出力終了と特定コンテンツの出力開始とが特定温度の検出開始と連動され、この特定コンテンツの出力終了とデジタルコンテンツＤＣである終了直前コンテンツの出力開始とが直前タイミングと連動され、この終了直前コンテンツが最後まで出力されてから終了されてもよい(図示せず)。
【００７６】
また、特定温度が検出されていないときにはデジタルコンテンツＤＣが出力されず、特定温度の検出開始と特定コンテンツとの出力開始とが連動され、この特定コンテンツの出力終了とデジタルコンテンツＤＣである終了直前コンテンツの出力開始とが直前タイミングと連動され、この終了直前コンテンツが最後まで出力されてから終了されてもよい(図示せず)。
【００７７】
さらに、上記形態では特定コンテンツが一般的な喫煙時間より長時間の動画などからなることを想定した。しかし、図７(ｂ)に示すように、特定コンテンツが、例えば、一般的な喫煙時間に連続的に出力される短時間の複数の特定コンテンツからなってもよい。
【００７８】
そして、このように一般的な喫煙時間に複数の短時間の特定コンテンツが連続的に出力される場合、その特定コンテンツの出力が喫煙終了の直前タイミングで中断されてもよいが、図７(ｂ)に示すように、喫煙終了の直前タイミングが発生してから、その短時間の特定コンテンツを最後まで出力してもよい。
【００７９】
同様に、喫煙終了が検出されてから終了直前コンテンツを最後まで出力してもよい。これらの場合、出力中の特定コンテンツや終了直前コンテンツが中断されることがないので、一般消費者の不満を改善することができる。
【００８０】
なお、前述のように特定コンテンツや終了直前コンテンツを完了せずに中断するときには、いわゆるフェードアウェイの手法で一般消費者の違和感を緩和してもよい(図示せず)。
【００８１】
また、上述のように複数の短時間の特定コンテンツが連続的に出力される場合、当然ながら、その複数の特定コンテンツの出力時間は相違していてもよい。その場合、最初の方に長時間の特定コンテンツを出力してから最後の方に短時間の特定コンテンツを出力すれば、喫煙終了の検出タイミングと特定コンテンツの終了タイミングとを緻密に対応させることができる。
【００８２】
さらに、上記形態では特定コンテンツが動画などからなることを想定した。しかし、特定コンテンツがリアルタイムに出力されるビデオゲームなどからなってもよい。この場合、やはり喫煙終了の直前タイミングと同時にビデオゲームを中断してもよく、喫煙終了の直前タイミングが発生するとビデオゲームを所定状態まで進行させてから終了してもよい。
【００８３】
また、上記形態では紙巻タバコＰＴの燃焼温度のみに対応してデジタルコンテンツＤＣを出力することを例示した。しかし、紙巻タバコＰＴの銘柄も検出してデジタルコンテンツＤＣを出力してもよい。
【００８４】
より具体的には、図４に示すように、紙巻タバコＰＴのタバコパックＴＰには、ＪＡＮ（Japanese Article Number）コードなどの商品ＩＤデータが商品バーコードＴＢとして表記されている。
【００８５】
そこで、データ処理システム１００の座席ＰＳごとにバーコードリーダ(図示せず)を設置しておき、一般消費者にタバコパックＴＰの商品バーコードＴＢをバーコードリーダでデータ処理システム１００に入力させる。
【００８６】
この場合、データ処理システム１００は、一般消費者が喫煙する紙巻タバコＰＴの銘柄を認識できるので、その銘柄に対応して複数種類のデジタルコンテンツＤＣを選択的に出力するようなことができる。
【００８７】
なお、特定消費商品であるタバコパックＴＰにＲＦＩＤチップが貼付されており、このＲＦＩＤチップに商品ＩＤデータが記録されており、データ処理システムがＲＦＩＤリーダで商品ＩＤデータを取得してもよい(図示せず)。
【００８８】
さらに、上記形態では喫煙スペースＳＳには一般消費者が自由に出入りできることを例示した。しかし、上述のようなタバコパックＴＰの確認により喫煙スペースＳＳへの入場を制限してもよい。
【００８９】
その場合、例えば、喫煙スペースＳＳの入口に電動ゲートとバーコードリーダを設置しておき(図示せず)、タバコパックＴＰの商品バーコードＴＢを確認できないと喫煙スペースＳＳへの入場を許可しないようなことができる(図示せず)。
【００９０】
当然ながら、喫煙スペースＳＳの一般消費者はタバコパックＴＰを所持しており、タバコパックＴＰを所持していない一般消費者が喫煙スペースＳＳに入場することはない。このため、適正な一般消費者は問題なく喫煙スペースＳＳに入場させることができる。
【００９１】
さらに、上記形態では紙巻タバコＰＴの燃焼温度の検出に対応してデジタルコンテンツＤＣを出力することを例示した。しかし、紙巻タバコＰＴの燃焼温度を検出日時とともに出力し、デジタルコンテンツＤＣの出力を検出日時にも対応して制御してもよい。この場合、平日と休日で相違するデジタルコンテンツＤＣを提供するようなことができる。
【００９２】
さらに、上記形態では喫煙スペースＳＳが建物に用意された一室からなることを例示した。しかし、喫煙スペースＳＳが、飲食店に用意された喫煙席、屋外に用意されたオープンスペース等でもよい（図示せず）。
【００９３】
このように喫煙スペースが屋外に用意されている場合、例えば、複数の狭視野角のディスプレイデバイス１２１を設置しておき、ＩＲセンサ１３１の撮像画像により一般消費者を識別し、対応するディスプレイデバイス１２１でデジタルコンテンツＤＣを表示すればよい。
【００９４】
この場合、屋外のオープンスペースに設置されているディスプレイデバイス１２１は周囲から自由に視認されるが、このディスプレイデバイス１２１が狭視野角であるため、正面に相対する一般消費者でないとデジタルコンテンツＤＣの視認は困難である。このため、デジタルコンテンツＤＣを正当な一般消費者のみに提供することができる。
【００９５】
さらに、視野角が下方に設定されているディスプレイデバイス１２１を上方に配置し、その表示画面を下側に傾斜させておくようなこともできる。この場合も、上方に位置するディスプレイデバイス１２１は周囲から自由に視認されるが、その下方に位置する一般消費者でないとデジタルコンテンツＤＣを視認することは困難である。
【００９６】
なお、現在では視野角の方向を制御できるディスプレイデバイスもある(図示せず)。そこで、このようなコンテンツ出力部を屋外に設置しておき、ＩＲセンサ１３１の撮像画像により一般消費者が識別されたときに、その方向にディスプレイデバイスの視野角を制御してデジタルコンテンツＤＣを提供してもよい。
【００９７】
また、上記形態ではディスプレイデバイス１２１が狭視野角ディスプレイからなり、一対一に対応する座席ＰＳの一般消費者のみにデジタルコンテンツＤＣを提供することを例示した。
【００９８】
しかし、ディスプレイデバイス１２１が、複数のデジタルコンテンツＤＣを各々所定の視野角で複数方向に出力するマルチビューディスプレイからなり、相互に対応している座席ＰＳとディスプレイデバイス１２１とは、ディスプレイデバイス１２１の複数の視野角の各々に座席ＰＳが配置されているとともに、座席ＰＳに着席した一般消費者の視認範囲にディスプレイデバイス１２１が配置されていてもよい(図示せず)。
【００９９】
上述のようなディスプレイデバイス１２１は、複数方向に相違するデジタルコンテンツＤＣを同時に出力することができる。このため、一個のディスプレイデバイス１２１で複数の一般消費者に個々にデジタルコンテンツＤＣを提供することができる。
【０１００】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【０１０１】
【図１】本発明の実施の形態のデータ処理システムの論理構造を示す模式的なブロック図である。
【図２】データ処理システムの物理構造を示す模式的なブロック図である。
【図３】データ処理システムの処理動作を示すフローチャートである。
【図４】特定消費商品であるタバコパックの外観を示す斜視図である。
【図５】デジタルコンテンツの出力形態を示す模式的なタイムチャートである。
【図６】デジタルコンテンツの出力形態を示す模式的なタイムチャートである。
【図７】変形例のデジタルコンテンツの出力形態を示す模式的なタイムチャートである。
【符号の説明】
【０１０２】
１００    データ処理システム
１０１    データベースサーバ
１１０    コンテンツ記憶部
１２０    コンテンツ出力部
１２１    ディスプレイデバイス
１３０    サーモグラフィ
１３１    ＩＲセンサ
１３２    ドライバ回路
１３３    画像処理部
１３４    光学フィルタ
１４０    出力制御部
１４１    時間集計部
１４２    直前生成部
１４３    直前連動部
ＤＣ    デジタルコンテンツ
ＰＳ    座席
ＰＴ    紙巻タバコ
ＳＳ    喫煙スペース
ＴＢ    商品バーコード
ＴＰ    タバコパック
【図１】
2009134056.tif 000003
【図２】
2009134056.tif 000004
【図３】
2009134056.tif 000005
【図４】
2009134056.tif 000006
【図５】
2009134056.tif 000007
【図６】
2009134056.tif 000008
【図７】
2009134056.tif 000009